(57)【特許請求の範囲】
【請求項１】
ガラス板をガスケットを介してスタッドに連結するガラス間仕切り構造において、上記ガスケットはガスケット本体と押えの２ピースから成り、ガスケット本体の底部に設けた係止片をスタッド側面に設けた凹溝に嵌めて係止し、底部の一方側に設けた嵌合部には押えの嵌合片を嵌めて取付け、そしてガスケット本体と押えに設けて剥離可能な複数の押え片を有す押え部にてガラス板を挟み込んで取付けた構造とし、上記スタッドはスタッド本体と押え材から成り、スタッド本体の両側には挟持片を内側へ延ばし、又押え材の両側部の先端に挟持片が両側に対を成して延び、該押え材は概略板状の長尺材であって、スタッド本体の凹部に嵌って位置決めされると共にネジ止めにて固定され、そして押え材の中央部にはガスケット本体の係止片が嵌る凹溝を設け、ガスケットを互いに向き合う挟持片にて挟むと共にガスケット本体の係止片を上記凹溝に嵌めて取付けたことを特徴とするガラス間仕切り構造。
【発明の詳細な説明】
【技術分野】
【０００１】
本発明はガラス間仕切りのスタッドにガラス板を取付ける為のガラス間仕切り構造に関するものである。
【背景技術】
【０００２】
図４は従来のガラス間仕切りの横断面を示す具体例である。スタッド(イ)を中心として両側にはガラスパネル(ロ)、(ロ)が連結して間仕切りを構成しているが、該ガラスパネル(ロ)は長方形の枠体にガラス板(ハ)が取付けられている。この際、ガラス板(ハ)は枠体の内面に設けている溝(ホ)に嵌っているガスケット(ニ)を介して取付けられ、枠体に嵌っている。
【０００３】
同図は横断面を表している為に、枠体を構成する縦材(ヘ)がスタッド(イ)の側面に形成した凹溝に嵌って連結している状態と成っている。このように、従来のガラス間仕切りのガラスパネル(ロ)は枠体にガスケット(ニ)を介してガラス板(ハ)を嵌めた構造と成っている。このようなガラスパネル(ロ)、(ロ)がスタッド(イ)を間にして直線状に連結し、スタッド(イ)の一側面に形成している凹溝にはカバー(ト)が取付けられている。
【０００４】
Ｔ型連結構造を構成する場合であれば、上記カバー(ト)を外して同じガラスパネル(ロ)の縦材(ヘ)を凹溝に嵌めて連結することが出来る。このように、従来のガラスパネル(ロ)はガラス板(ハ)が枠体に嵌って構成され、ガラス板(ハ)をスタッド（イ）に直接取付けた構造ではない。従って、ガラス間仕切りは枠体を必要としている分だけコストが高く成ってしまう。しかし、同図に示すような従来のガスケット(ニ)では、ガラス間仕切りのスタッド(イ)に該ガスケット(ニ)を介してガラス板(ハ)を直接取付けることは出来ない。
【発明の開示】
【発明が解決しようとする課題】
【０００５】
このように、従来のガラス間仕切りのガラスパネル取付け構造には上記のごとき問題がある。本発明が解決しようとする課題はこの問題点であり、ガラス板をガスケットを介してスタッドに直接取付けることが出来、簡単な構造でコストが安くなるガラス間仕切り構造を提供する。
【課題を解決するための手段】
【０００６】
本発明に係るガラス間仕切り構造を構成するガスケットはガスケット本体と押えの２ピース構造とし、ガスケット本体の底部には２本の係止片を有し、スタッド側面に設けている凹溝に嵌ると共にツメに係止して取付けられる。そして、押えはガスケット本体に取付けられるが、ガスケット本体に設けた嵌合部に嵌合すると共に、外れないようにツメに係止される。
【０００７】
ガスケット本体と押えにてガラス板を挟み込んで取付けることが出来、ガスケット本体の嵌合部に嵌合して組合わされた押えは、その外観がガスケット本体と対を成してガスケットが構成される。ガスケット本体と押えにはガラス板の押え部が設けられ、ガラス板の厚さに応じて調整可能と成っている。すなわち、押さえ部は分離可能な複数の押さ片で構成している。そして、ガスケットが取付けられるスタッドには、側面に凹溝が長手方向(縦方向)に連続して形成され、ガラス板の連結形態に応じて側部カバーを取付けたり、ガスケットを取付けたりすることが出来る構造と成っている。
【発明の効果】
【０００８】
本発明のガラス間仕切りは、スタッドにガスケットを介してガラス板を直接連結・取付けることが出来、従来のような枠体にガラス板を嵌めて構成したガラスパネルは不要となる。従って、ガラス板が嵌る枠体が要らなく成ることで、ガラス間仕切りとしての構造は簡略化され、勿論、製作及び据付コストは安くなる。本発明ではガラス板をガスケットを介してスタッドに直接取付ける構造であるが、該ガスケットは十分な強度を備えていて、丈夫で安定したガラス間仕切りを構成できる。
【０００９】
そこで、ガスケットはガスケット本体と押えの２ピースで構成され、スタッド側面に設けた凹溝に取付けられるが、ガスケット本体と押えに挟まれたガラス板は安定して支持される。又、ガスケット本体と押えには剥離可能な複数の押え片を有していることで、ガラス板の厚さが変化した場合であっても何ら支障なく連結され得る。
【実施例】
【００１０】
図１は本発明に係るガラス間仕切り構造を構成するガスケット１を表している。該ガスケット１は樹脂製のガスケット本体２と押え３の２ピースで構成され、ガラス板はガスケット本体２と押え３との間に挟まれて支持される。ガスケット本体２は底部４の両側に係止片５ａ，５ｂを下方へ延ばし、底部４の一方の係止片側から上方へ延びる立上がり部６を有し、立上がり部６の先端から表面部７ａが垂直外方向へ延び、そして、表面部先端からは脚部８ａが下方へ延びている。
【００１１】
又、上記立上がり部６の上端部表面にはガラス板を押える押え部１０ａを設け、該押え部１０ａは複数の押え片１１ａ，１１ｂ・・から成っていて、ガラス板の厚さに応じて剥離することで調整できる形態と成っている。そして、表面部７ａと脚部８ａを繋ぐ境界には約４５°に傾斜したコーナー部１２ａと僅かに傾斜した傾斜部１３ａを設けている。
【００１２】
一方の押え３はガスケット本体２と同じく、表面部７ｂと脚部８ｂを有し、表面部７ｂと脚部８ｂを繋ぐ境界には約４５°に傾斜したコーナー部１２ｂと僅かに傾斜した傾斜部１３ｂを設けている。しかし押え３の脚部８ｂは内側へ傾斜して先端には当り部９を形成しているが、ガスケット本体２の脚部８ａは下方へ真直ぐに延びている。そして、この押え３はガスケット本体２に取付けられて、ガスケット１を構成することが出来る訳で、該ガスケット１はガスケット本体２と押え３は対を成している。ガスケット本体２の底部他方側には嵌合部１５を設け、この嵌合部１５に押え３のコーナー部１２ｂから斜め内側方向へ延びる嵌合片１６が嵌合している。
【００１３】
上記嵌合部１５は両側片１４ａ，１４ｂにて形成され、一方の側片１４ｂの先端内面にはツメ１７を形成し、嵌合部１５に嵌合した嵌合片１６の先端に設けているツメ１８が係止することで、外れないようになる。すなわち、嵌合片１６は嵌合部１５の両側片１４ａ，１４ｂに挟まれると共に、ツメ１８がツメ１７に係止している。又、押え３の表面部７ｂの内側には剥離可能な複数の押え片１１ｂ、１１ｂ・・から成る押え部１０ｂを有している。
【００１４】
ところで、ガラス板はガスケット本体２と押え３の両押え部１０ａ，１０ｂの間に挟まれて取付けられるが、ガラス板の厚さに応じて押え片１１ａ，１１ｂ・・は適当に剥離・除去される。ガラス板の取付け方は、ガスケット本体２をスタッドに取付けた状態でガラス板を嵌め、そして、押え３の嵌合片１６を嵌合部１５に嵌合してガラス板を挟み込むことが出来る。
【００１５】
図２はスタッド１９の具体例を示す断面である。該スタッド１９はスタッド本体２０と押え材２１の２ピースで構成され、該スタッド１９は３方向にパネルを連結してＴ型連結形態を構成することが出来る。三方には嵌合空間２２ａ，２２ｂ，２２ｃを有し、これら嵌合空間２２ａ，２２ｂ，２２ｃにパネル２３ａ，２３ｂ，２３ｃの側端が嵌って連結される。そして、スタッド本体２０の一側面はＷ形断面を形成し、デザインの向上を図っている。
【００１６】
ところで、同じスタッド１９はパネル２３ａ，２３ｂ，２３ｃだけでなく、上記図１に示したガスケットを介してガラス板を連結することが出来る構成と成っている。すなわち、該スタッド１９はペーパーコアなどを芯材として両面に表面材を貼着した一般的なパネルを連結することが出来、同図の点線は該パネル２３ａ，２３ｂ，２３ｃを表している。
【００１７】
スタッド本体２０の両側には挟持片２９ａ，２９ｂを内側へ延ばし、又押え材２１の両側部３１ａ，３１ｂの先端に挟持片３０ａ，３０ｃと３０ｂ，３０ｃが両側に対を成して延びている。押え材２１は概略板状の長尺材であり、スタッド本体２０の凹部３２に嵌って位置決めされ、そしてネジ止めにて固定されている。そこで、嵌合空間２２ａに嵌るパネル２３ａはスタッド本体２０の挟持片２９ａと押え材２１の挟持片３０ａに挟まれて固定される。
【００１８】
同じく、嵌合空間２２ｂに嵌るパネル２３ｂはスタッド本体２０の挟持片２９ｂと押え材２１の挟持片３０ｂに挟まれて固定され，さらに嵌合空間２２ｃに嵌るパネル２３ｃは押え材２１の両側部３１ａ，３１ｂの先端に形成している挟持片３０ｃ，３０ｃの間に嵌って固定される。
【００１９】
図３は上記スタッド１９にガスケット１ａ，１ｂ，１ｃを取付けて、ガラス板２４ａ，２４ｂ，２４ｃを保持している場合の断面を示している。すなわち、Ｔ型ガラス間仕切り構造と成っている。図２に示したパネル２３ａ，２３ｂ，２３ｃの代わりに、嵌合空間２２ａ，２２ｂ，２２ｃにはガスケット１ａ，１ｂ，１ｃが嵌っている。
【００２０】
スタッド１９の三方には凹溝２５ａ，２５ｂ，２５ｃが長手方向に連続して設けられ、これら凹溝２５ａ，２５ｂ，２５ｃにガスケット１ａ，１ｂ，１ｃが取付けられる。上記ガスケット本体２の底部４に設けられる両係止片５ａ，５ｂが凹溝２５に嵌り、凹溝両側に形成しているツメ２６ａ，２６ｂに係止片５ａ，５ｂの先端ツメ２７ａ，２７ｂが係止することで、ガスケット本体２は外れないように取付けられる。
【００２１】
ガスケット本体２の係止片５ａ，５ｂが凹溝２５に嵌って先端ツメ２７ａ，２７ｂがツメ２６ａ，２６ｂに係止すると共に、底部両側に設けているストッパー２８ａ，２８ｂがスタッド側面に当接し、又、ガスケット本体２の脚部８ａの先端、及び押え３に形成している脚部８ｂの先端に設けている当り部９もスタッド側面に当接することで安定して取付けられる。凹溝２５の両内側面に突出して形成されるツメ２６ａ，２６ｂは、係止片５ａ，５ｂに形成している先端ツメ２７ａ，２７ｂとストッパー２８ａ，２８にて挟まれた状態となって、ガスケット本体２は安定する。
【００２２】
図３は各ガラス板２４ａ，２４ｂ，２４ｃがガスケット１ａ，１ｂ，１ｃを介してスタッド１９に取付けられている状態であるが、ガラス板２４ａ，２４ｂ，２４ｃの取付けは、ガスケット本体２の係止片５ａ，５ｂを凹溝２５ａ，２５ｂ，２５ｃに嵌めて係止したところでガラス板２４ａ，２４ｂ，２４ｃを嵌める。その後、押え３を取付けてガスケット本体２の押え部１０ａと押え３の押え部１０ｂとで挟持することが出来る。この際、押え３を取付けるに際して、４５°に傾斜したコーナー部１２ｂを押圧して嵌合片１６を嵌合部１５に嵌合することが出来る。
【００２３】
図３は３方向にガラス板２４ａ，２４ｂ，２４ｃを連結した構造と成っているが、同じスタッド１９を用いて直線型連結、及びＬ型連結を行うことも可能である。この場合には、ガラス板２４が連結しない側のスタッドには、上記ガスケット１に代わって、側面カバーが取付けられる。又は、直線型連結構造及びＬ型連結構造とする専用のスタッド１９を用いることは自由である。すなわち、ガラス板２４が連結しないスタッド本体２０の側面を、図２に示すＷ形断面とすることも出来る。
【図面の簡単な説明】
【００２４】
【図１】本発明のガラス間仕切り構造に用いるガスケットを示す実施例。
【図２】スタッドの断面図。
【図３】スタッドの三方向側面に取付けたガスケットを介してガラス板を連結した場合。
【図４】従来のガラスパネルの連結構造。
【符号の説明】
【００２５】
１  ガスケット
２  ガスケット本体
３  押え
４  底部
５  係止片
６  立上がり部
７  表面部
８  脚部
９  当り部
10  押え部
11  押え片
12  コーナー部
13  傾斜部
14  側片
15  嵌合部
16  嵌合片
17  ツメ
18  ツメ
19  スタッド
20  スタッド本体
21  押え材
22  嵌合空間
23  パネル
24  ガラス板
25  凹溝
26  ツメ
27  ツメ
28  ストッパー
29  挟持片
30  挟持片
31  側部
【図１】
0004840647.tif 000002
【図２】
0004840647.tif 000003
【図３】
0004840647.tif 000004
【図４】
0004840647.tif 000005